(57)【要約】【課題】被加工部材の吸着に永久磁石を用いた磁気ボール盤を提供すること。【解決手段】本発明は、磁性体からなる被加工部材を吸着可能な底面を有する固定部と、固定部の上方に取り付けられた本体部と、本体部に取り付けられた回転刃と、回転刃の回転駆動をＯＮ／ＯＦＦする回転刃スイッチと、を備えた磁気ボール盤である。固定部内には、回転軸回りに回転可能な永久磁石が設けられており、永久磁石は、回転軸に対して一方側にＮ極を有し、回転軸に対して他方側にＳ極を有している。固定部は、永久磁石の側方の両側に、側方磁性体を有している。永久磁石から出る磁力線は、Ｎ極とＳ極とが略鉛直方向に揃う第１状態において、主として側方磁性体のみを通過し、Ｎ極とＳ極とが略水平方向に揃う第２状態において、主として側方磁性体と被加工部材とを通過する。永久磁石を第１状態と第２状態との間で回転させる固定部スイッチが更に設けられている。【選択図】図４
2020157471.tif 000002
【特許請求の範囲】
【請求項１】
磁性体からなる被加工部材を吸着可能な底面を有する固定部と、
前記固定部の上方に取り付けられた本体部と、
前記本体部に取り付けられ、回転駆動可能な回転刃と、
前記回転刃の回転駆動をＯＮ／ＯＦＦする回転刃スイッチと、
を備えた磁気ボール盤であって、
前記固定部内には、回転軸回りに回転可能な永久磁石が設けられており、
前記永久磁石は、前記回転軸に対して一方側にＮ極を有し、前記回転軸に対して他方側にＳ極を有しており、
前記固定部は、前記回転軸に対して前記永久磁石の側方の両側に、側方磁性体を有しており、
前記永久磁石から出る磁力線は、前記Ｎ極と前記Ｓ極とが略鉛直方向に揃う第１状態において、主として前記側方磁性体のみを通過するようになっており、
前記永久磁石から出る磁力線は、前記Ｎ極と前記Ｓ極とが略水平方向に揃う第２状態において、主として前記側方磁性体と前記被加工部材とを連続的に通過できるようになっており、
前記永久磁石を前記第１状態と前記第２状態との間で回転させる固定部スイッチが更に設けられている
ことを特徴とする磁気ボール盤。
【請求項２】
前記固定部スイッチは、前記永久磁石を前記第１状態に回転させた位置で、前記回転刃スイッチを覆い隠す位置姿勢をとり、
前記固定部スイッチは、前記永久磁石を前記第２状態に回転させた位置で、前記回転刃スイッチを露出する位置姿勢をとる
ことを特徴とする請求項１に記載の磁気ボール盤。
【請求項３】
前記永久磁石を前記第２状態から前記第１状態へと回転させるように前記固定部スイッチが操作される時、前記回転刃の回転駆動を自動的に強制的にＯＦＦにする回転刃補助スイッチ
を更に備えたことを特徴とする請求項２に記載の磁気ボール盤。
【請求項４】
前記回転刃補助スイッチは、前記固定部スイッチに内蔵された磁石片の位置に応じて作動するリードスイッチを有する
ことを特徴とする請求項３に記載の磁気ボール盤。
【請求項５】
前記本体部には、バッテリが着脱可能である
ことを特徴とする請求項１乃至４のいずれかに記載の磁気ボール盤。
【請求項６】
前記本体部には、商用電源が接続可能である
ことを特徴とする請求項１乃至４のいずれかに記載の磁気ボール盤。
【請求項７】
被加工部材を吸着可能な底面を有する固定部と、
前記固定部の上方に取り付けられた本体部と、
前記本体部に取り付けられ、回転駆動可能な回転刃と、
前記固定部の吸着作用をＯＮ／ＯＦＦする固定部スイッチと、
前記回転刃の回転駆動をＯＮ／ＯＦＦする回転刃スイッチと、
を備えたボール盤であって、
前記固定部スイッチは、前記固定部が吸着作用を発揮しない状態にある時、回転刃スイッチを覆い隠す位置姿勢をとり、
前記固定部スイッチは、前記固定部が吸着作用を発揮する状態にある時、回転刃スイッチを露出する位置姿勢をとり、
前記固定部が吸着作用を発揮する状態から吸着作用を発揮しない状態へと前記固定部スイッチが操作される時、前記回転刃の回転駆動を自動的に強制的にＯＦＦにする回転刃補助スイッチが更に設けられている
ことを特徴とするボール盤。
【発明の詳細な説明】
【技術分野】
【０００１】
本発明は、磁気ボール盤に関する。
【背景技術】
【０００２】
従来より、磁気ボール盤は、磁性体からなる被加工部材に穴開け加工を施す場合に、幅広く有効活用されている。
【０００３】
一般的に、磁気ボール盤は、磁性体からなる被加工部材を吸着可能な底面を有する固定部と、固定部の上方に取り付けられた本体部と、本体部に取り付けられ回転駆動可能な回転刃と、回転刃の回転駆動をＯＮ／ＯＦＦする回転刃スイッチと、を備えている。
【０００４】
固定部内には、電磁石が設けられており、電磁石スイッチをＯＮ／ＯＦＦすることによって当該電磁石による磁力がＯＮ／ＯＦＦされ、磁性体からなる被加工部材に対する吸着作用（磁気作用）がＯＮ／ＯＦＦされるようになっている。
【０００５】
従来の磁気ボール盤の例は、例えば特許文献１によって開示されている。
【先行技術文献】
【特許文献】
【０００６】
【特許文献１】特開２０１１−１７７８１８号公報
【発明の概要】
【発明が解決しようとする課題】
【０００７】
固定部に電磁石を用いた磁気ボール盤は、磁性体からなる被加工部材に対する吸着作用（磁気作用）のＯＮ／ＯＦＦを容易に操作できるため、市場において人気がある。
【０００８】
しかしながら、バッテリ駆動タイプの（コンセント接続無しの）磁気ボール盤においては、バッテリ残量の不足状態が生じた時、被加工部材に対する吸着作用が突然失われるという事態が生じ得て、場合によっては危険である。
【０００９】
交流電源駆動タイプの（コンセント接続の）磁気ボール盤においても、停電発生等による電源遮断時に、やはり被加工部材に対する吸着作用が突然失われるという事態が生じ得て、場合によっては危険である。
【００１０】
更に、本件発明者は、被加工部材が適切に吸着された状態でのみ回転刃が駆動されることが、作業者の安全にとって好ましいことを知見した。
【００１１】
本発明は、以上の知見に基づいて創案されたものである。本発明の目的は、被加工部材の吸着に永久磁石を用いた磁気ボール盤を提供することである。また、本発明の目的は、回転刃の駆動に関して安全性が高められたボール盤を提供することである（この目的に関しては、少なくとも本件出願時においては、磁気ボール盤という限定は不要である）。
【課題を解決するための手段】
【００１２】
本発明は、磁性体からなる被加工部材を吸着可能な底面を有する固定部と、前記固定部の上方に取り付けられた本体部と、前記本体部に取り付けられ回転駆動可能な回転刃と、前記回転刃の回転駆動をＯＮ／ＯＦＦする回転刃スイッチと、を備えた磁気ボール盤であって、前記固定部内には、回転軸回りに回転可能な永久磁石が設けられており、前記永久磁石は、前記回転軸に対して一方側にＮ極を有し、前記回転軸に対して他方側にＳ極を有しており、前記固定部は、前記回転軸に対して前記永久磁石の側方の両側に、側方磁性体を有しており、前記永久磁石から出る磁力線は、前記Ｎ極と前記Ｓ極とが略鉛直方向に揃う第１状態において、主として前記側方磁性体のみを通過するようになっており、前記永久磁石から出る磁力線は、前記Ｎ極と前記Ｓ極とが略水平方向に揃う第２状態において、主として前記側方磁性体と前記被加工部材とを連続的に通過できるようになっており、前記永久磁石を前記第１状態と前記第２状態との間で回転させる固定部スイッチが更に設けられていることを特徴とする磁気ボール盤である。
【００１３】
本発明によれば、磁性体からなる被加工部材を吸着するために永久磁石を用いているため、バッテリ残量の不足や停電等が生じても、被加工部材に対する吸着作用が突然失われるという事態が生じない。また、本発明によれば、永久磁石を回転させるだけで吸着作用（磁気作用）をＯＮ／ＯＦＦすることができるため、作業者の操作性も良好である。
【００１４】
また、前記固定部スイッチは、前記永久磁石を前記第１状態に回転させた位置で、前記回転刃スイッチを覆い隠す位置姿勢をとり、前記固定部スイッチは、前記永久磁石を前記第２状態に回転させた位置で、前記回転刃スイッチを露出する位置姿勢をとることが好ましい。
【００１５】
これによれば、永久磁石が吸着作用（磁気作用）を発揮している状態でのみ、作業者が回転刃スイッチにアクセス可能であるため、被加工部材が固定部に吸着されていない状態で回転刃が駆動するという事態の発生が効果的に抑制される。
【００１６】
また、前記永久磁石を前記第２状態から前記第１状態へと回転させるように前記固定部スイッチが操作される時、前記回転刃の回転駆動を自動的に強制的にＯＦＦにする回転刃補助スイッチが更に設けられることが好ましい。
【００１７】
これによれば、永久磁石が吸着作用（磁気作用）を発揮しなくなる際に、回転刃の回転駆動が強制的にＯＦＦにされることが保証されるため、被加工部材が固定部に吸着されていない状態でも回転刃の駆動が継続するという事態の発生が効果的に抑制される。
【００１８】
この場合、前記回転刃補助スイッチは、前記固定部スイッチに内蔵された磁石片の位置に応じて作動するリードスイッチを有することが更に好ましい。
【００１９】
これによれば、固定部スイッチの回転操作に応じて回転刃の回転駆動を強制的にＯＦＦにする制御を、容易に実現することができる。
【００２０】
本発明の磁気ボール盤は、バッテリ駆動タイプ（コンセント接続無し）でも、交流電源駆動タイプ（コンセント接続あり）でもよい。一般に、前者の場合、前記本体部にバッテリが着脱可能であり、後者の場合、前記本体部に商用電源（交流電源）が接続可能である。
【００２１】
あるいは、本発明は、被加工部材を吸着可能な底面を有する固定部と、前記固定部の上方に取り付けられた本体部と、前記本体部に取り付けられ回転駆動可能な回転刃と、前記固定部の吸着作用をＯＮ／ＯＦＦする固定部スイッチと、前記回転刃の回転駆動をＯＮ／ＯＦＦする回転刃スイッチと、を備えたボール盤であって、前記固定部スイッチは、前記固定部が吸着作用を発揮しない状態にある時、回転刃スイッチを覆い隠す位置姿勢をとり、前記固定部スイッチは、前記固定部が吸着作用を発揮する状態にある時、回転刃スイッチを露出する位置姿勢をとり、前記固定部が吸着作用を発揮する状態から吸着作用を発揮しない状態へと前記固定部スイッチが操作される時、前記回転刃の回転駆動を自動的に強制的にＯＦＦにする回転刃補助スイッチが更に設けられていることを特徴とするボール盤である。
【００２２】
本発明によれば、吸着作用が発揮されている状態でのみ、作業者が回転刃スイッチにアクセス可能であるため、被加工部材が固定部に吸着されていない状態で回転刃が駆動するという事態の発生が効果的に抑制される。また、吸着作用が発揮されなくなる際に、回転刃の回転駆動が強制的にＯＦＦにされることが保証されるため、被加工部材が固定部に吸着されていない状態でも回転刃の駆動が継続するという事態の発生が効果的に抑制される。
【００２３】
あるいは、本発明は、副スイッチがＯＮである時にのみ、主スイッチをＯＮ／ＯＦＦすることが可能な安全装置であって、前記副スイッチは、当該副スイッチがＯＦＦである時、前記主スイッチを覆い隠す位置姿勢をとり、前記副スイッチは、当該副スイッチがＯＮである時、前記主スイッチを露出する位置姿勢をとり、前記副スイッチがＯＮからＯＦＦへと操作される時、前記主スイッチを自動的に強制的にＯＦＦにする補助スイッチが更に設けられており、前記補助スイッチは、前記副スイッチに内蔵された磁石片の位置に応じて作動するリードスイッチを有することを特徴とする安全装置である。
【００２４】
本発明によれば、副スイッチがＯＮである時にのみ、作業者が主スイッチにアクセス可能であるため、所望の安全機能が保証されている。また、副スイッチがＯＮからＯＦＦへと操作される際に、補助スイッチ（リードスイッチ）によって主スイッチが自動的に強制的にＯＦＦにされることによって、安全機能が高められている。
【発明の効果】
【００２５】
本発明によれば、磁性体からなる被加工部材を吸着するために永久磁石を用いているため、バッテリ残量の不足や停電等が生じても、被加工部材に対する吸着作用が突然失われるという事態が生じない。また、本発明によれば、永久磁石を回転させるだけで吸着作用（磁気作用）をＯＮ／ＯＦＦすることができるため、作業者の操作性も良好である。
【００２６】
あるいは、本発明によれば、吸着作用が発揮されている状態でのみ、作業者が回転刃スイッチにアクセス可能であるため、被加工部材が固定部に吸着されていない状態で回転刃が駆動するという事態の発生が効果的に抑制される。また、吸着作用が発揮されなくなる際に、回転刃の回転駆動が強制的にＯＦＦにされることが保証されるため、被加工部材が固定部に吸着されていない状態でも回転刃の駆動が継続するという事態の発生が効果的に抑制される。
【図面の簡単な説明】
【００２７】
【図１】本発明の一実施形態に係る磁気ボール盤の正面図である。
【図２】図１の磁気ボール盤の側面図である。
【図３】図１の磁気ボール盤の背面図である。
【図４】固定部スイッチをＯＮにした状態での、図１の磁気ボール盤の背面図である。
【図５】固定部スイッチがＯＦＦである時の固定部スイッチの位置姿勢と永久磁石の状態（第１状態）との関係を示す概略図である。
【図６】固定部スイッチをＯＮにした時の固定部スイッチの位置姿勢と永久磁石の状態（第２状態）との関係を示す概略図である。
【図７】リードスイッチの作動について説明するための概略図である。
【発明を実施するための形態】
【００２８】
以下、図面を参照して本発明の実施の形態について説明する。
【００２９】
（構成）
図１は、本発明の一実施形態に係る磁気ボール盤１００の正面図であり、図２は、図１の磁気ボール盤１００の側面図であり、図３は、図１の磁気ボール盤１００の背面図であり、図４は、固定部スイッチ６０をＯＮにした状態での、図１の磁気ボール盤１００の背面図である。
【００３０】
図１乃至図４に示すように、本実施形態に係る磁気ボール盤１００は、磁性体（一般的には鉄）からなる被加工部材を吸着可能な底面を有する固定部１０を備えている。被加工部材は、通常は、板状部材である。本実施形態の固定部１０は、吸着力として永久磁石４０の磁力を利用する。
【００３１】
固定部１０の上方には、本体部２０が取り付けられている。固定部１０に対する本体部２０の位置は、穴開け加工の位置決めのため、スライド移動によって前後左右方向に微調整可能となっている。また、本体部２０の後方側には、バッテリ２５が交換可能に取り付けられている。もっとも、本体部２０に商用電源が接続可能となっていてもよい
【００３２】
本体部２０の前方側に、回転刃３０が取り付けられている。回転刃３０は、回転刃スイッチ３５（図４参照）の押圧操作によってそれ自身の鉛直軸線回りに回転駆動されるようになっており、また、送りハンドル３２によって上下方向に手動で送られるようになっている。
【００３３】
回転刃スイッチ３５は、固定部１０の後端側に配置されたスイッチボックス５０の後端面内に設けられており、４〜５ｍｍ程度沈み込む押圧スイッチであり、押圧操作の度に回転刃３０の回転駆動のＯＮ／ＯＦＦが切り替わるように構成されている。
【００３４】
但し、図３及び図４に示すように、回転刃スイッチ３５は、回動タイプのスイッチである固定部スイッチ６０がＯＮである時にのみ露出されて、アクセス（押圧操作）が許容されるようになっている（図４参照）。回転刃スイッチ３５は、固定部スイッチ６０がＯＦＦである時には、覆い隠されている（図３参照）。
【００３５】
続いて、図５は、固定部スイッチ６０がＯＦＦである時の固定部スイッチ６０の位置姿勢と永久磁石４０の状態（第１状態）との関係を示す概略図であり、図６は、固定部スイッチ６０をＯＮにした時の固定部スイッチ６０の位置姿勢と永久磁石４０の状態（第２状態）との関係を示す概略図であり、図７は、リードスイッチ５２の作動について説明するための概略図である。
【００３６】
図５及び図６に示すように、固定部１０内には、それ自身の水平軸線（回転軸）Ｘ回りに回転可能な永久磁石４０が設けられている。永久磁石４０は、回転軸Ｘに対して一方側にＮ極を有し、回転軸Ｘに対して他方側にＳ極を有している。
【００３７】
また、固定部１０は、回転軸Ｘに対して永久磁石４０の側方の両側に、側方磁性体１１、１２を有している。永久磁石４０の上下であって側方磁性体１１、１２の間には、非磁性体１３、１４が設けられているが、単なる空隙であってもよい。
【００３８】
図５に示すように、永久磁石４０から出る磁力線は、Ｎ極とＳ極とが略鉛直方向に揃う第１状態において、主として側方磁性体１１、１２のみを通過するようになっている。
【００３９】
一方、図６に示すように、永久磁石４０から出る磁力線は、Ｎ極とＳ極とが略水平方向に揃う第２状態において、主として側方磁性体１１、１２と被加工部材とを連続的に通過するようになっている。この状態では、被加工部材を通る磁力線によって被加工部材に磁力が作用し、被加工部材が固定部１０の底面に吸着される。
【００４０】
固定部スイッチ６０が、永久磁石４０を、回転軸Ｘ回りに、第１状態と第２状態との間で回転（回動）させるようになっている。より具体的には、固定部スイッチ６０は、永久磁石４０の後端側（に接続されたシャフト部材の後端部）にキー４６を介して固定され、永久磁石４０と共に回転軸Ｘ回りに回転（回動）可能となっている。
【００４１】
また、スイッチボックス５０の後端面からは更に後方側にストッパピン５１が突出しており、固定部スイッチ６０には、ストッパピン５１が摺動するための略４分の１円弧状の摺動溝６４が設けられている（図５及び図６の固定部スイッチ６０は、摺動溝６４を横断する横断面として図示されている）。
【００４２】
その他、固定部スイッチ６０には、手動操作の操作性を高めるべく、図示のように、湾曲三角形状の大凸部６１と、半円形状の小凸部６２と、が設けられている。また、固定部スイッチ６０には、回転刃スイッチ３５をほぼ完全に露出させるために、図示のように、凹部６３が設けられている。
【００４３】
更に、固定部スイッチ６０には、磁石片６５が内蔵されている。そして、永久磁石４０を第２状態（吸着作用あり）から第１状態（吸着作用なし）へと回転させるべく固定部スイッチ６０が図６の位置姿勢から図５の位置姿勢へと操作される時に磁石片６５が通過する軌道に対応するように、スイッチボックス５０にリードスイッチ５２が設けられている。本実施形態のリードスイッチ５２は、長さ２０ｍｍ程度で、水平方向から３０°程度傾斜して設けられている。
【００４４】
リードスイッチ５２は、固定部スイッチ６０に内蔵された磁石片６５の位置に応じて、当該磁石片６５がリードスイッチ５２の近傍を通過する際に信号を出力するようになっている。そして、本体部２０には、リードスイッチ５２の当該信号に基づいて、回転刃３０の回転駆動を強制的にＯＦＦにする回転刃補助スイッチ制御部５３が設けられている。すなわち、リードスイッチ５２と回転刃補助スイッチ制御部５３とによって、回転刃補助スイッチが構成されている。
【００４５】
本実施形態の磁石片６５は、幅３ｍｍ、長さ１０ｍｍ、深さ５ｍｍの略直方体形状であり、図５の状態では鉛直方向に延在し、図６の状態では水平方向に延在し、固定部スイッチ６０の回動操作中に背面視でリードスイッチ５２と概ね重なる（図７参照）ように配置されているが、リードスイッチ５２が適切に作動する限り、形状もサイズも特に限定されない。
【００４６】
（作用）
以上のような本実施形態の磁気ボール盤１００によれば、磁性体からなる被加工部材に、回転刃３０によって穴開け加工を施すことができる。
【００４７】
磁気ボール盤１００は、使用前の状態では、固定部スイッチ６０がＯＦＦの位置にあり、回転刃スイッチ３５が覆い隠されている（図３及び図５参照）。この状態では、永久磁石４０の磁力線が主として側方磁性体１１、１２のみを通過し、固定部１０の底面において被加工部材を吸着することはない。
【００４８】
穴開け対象の被加工部材が用意され、固定部１０の底面が当該被加工部材に押し当てられると、固定部スイッチ６０が操作されてＯＮの位置にまで回転（回動）される。これにより、永久磁石４０の磁力線が主として側方磁性体１１、１２と被加工部材とを連続的に通過するようになり、固定部１０の底面に被加工部材が強固に吸着される。
【００４９】
続いて、本体部２０の位置が固定部１０に対して微調整されて、穴開け加工のための位置決めがなされる。
【００５０】
一方、固定部スイッチ６０がＯＮの位置にまで回転（回動）されたことによって、回転刃スイッチ３５が露出されている。従って、作業者は、任意のタイミングで回転刃スイッチ３５を押圧操作することによって、回転刃３０を回転駆動することができる。作業者は、回転刃３０を回転駆動状態として、送りハンドル３２によって降下させていくことにより、被加工部材に穴開け加工を施すことができる。
【００５１】
その後、作業者は、任意のタイミングで回転刃スイッチ３５を再度押圧操作することによって、回転刃３０の回転駆動を停止することができる。そして、固定部スイッチ６０が操作されてＯＦＦの位置にまで回転（回動）される。これにより、永久磁石４０の磁力線が主として側方磁性体１１、１２のみを通過するようになり、固定部１０の底面による被加工部材の吸着作用が解除される。
【００５２】
加工作業の途中で、万が一、固定部スイッチ６０がＯＦＦの位置にまで回転（回動）されるような事態が生じた場合、磁石片６５がリードスイッチ５２の近傍を通過するため、リードスイッチ５２から出力される信号に基づいて回転刃補助スイッチ制御部５３が回転刃３０の回転駆動を自動的に強制的にＯＦＦにする。これにより、被加工部材が固定部１０に吸着されていない状態でも回転刃３０の駆動が継続するという事態の発生が効果的に抑制される。
【００５３】
（効果）
以上のような本実施形態の磁気ボール盤１００によれば、磁性体からなる被加工部材を吸着するために永久磁石４０が用いられる。このため、バッテリ２５の残量の不足や停電等が生じても、被加工部材に対する吸着作用が突然失われるという事態が生じない。
【００５４】
また、穴開け加工の途中でバッテリ交換を行ったとしても、位置ズレが生じない（電磁石の場合、一旦磁力が切れてしまう）。
【００５５】
更に、作業途中で作業者が磁気ボール盤１００を離れなければいけない事態が生じても、電磁石と違って永久磁石４０を採用しているので、その後にバッテリ切れ（または停電等）によって磁気ボール盤１００（または被加工部材）が落下することを心配しなくてよい。
【００５６】
また、本実施形態の磁気ボール盤１００によれば、永久磁石４０を回転させるだけで吸着作用（磁気作用）をＯＮ／ＯＦＦすることができるため、作業者の操作性も良好である。
【００５７】
また、本実施形態の磁気ボール盤１００によれば、固定部スイッチ６０が、永久磁石４０を第１状態に回転させた位置で回転刃スイッチ３５を覆い隠す位置姿勢をとり、且つ、永久磁石４０を第２状態に回転させた位置で回転刃スイッチ３５を露出する位置姿勢をとるようになっている。このため、永久磁石４０が吸着作用（磁気作用）を発揮している状態でのみ、作業者が回転刃スイッチ３５にアクセス可能であるため、被加工部材が固定部１０に吸着されていない状態で回転刃３０が駆動するという事態の発生が効果的に抑制される。
【００５８】
また、本実施形態の磁気ボール盤１００によれば、永久磁石４０を第２状態から第１状態へと回転させるように固定部スイッチ６０が操作される時、回転刃３０の回転駆動を自動的に強制的にＯＦＦにする回転刃補助スイッチ５２、５３が更に設けられている。このため、永久磁石４０が吸着作用（磁気作用）を発揮しなくなる際に、回転刃３０の回転駆動が強制的にＯＦＦにされることが保証されるため、被加工部材が固定部１０に吸着されていない状態でも回転刃３０の駆動が継続するという事態の発生が効果的に抑制される。
【００５９】
また、本実施形態の磁気ボール盤１００によれば、回転刃補助スイッチは、固定部スイッチ６０に内蔵された磁石片６５の位置に応じて作動するリードスイッチ５２を有している。このため、固定部スイッチ６０の回転操作に応じて回転刃３０の回転駆動を強制的にＯＦＦにする制御が、容易に実現されている。
【００６０】
（本発明の拡張例１）
回転刃補助スイッチ５２、５３の特徴は、磁気ボール盤でないボール盤においても有効である。すなわち、被加工部材を吸着可能な底面を有する固定部（１０）と、固定部（１０）の上方に取り付けられた本体部（２０）と、本体部（２０）に取り付けられ回転駆動可能な回転刃（３０）と、固定部（１０）の吸着作用をＯＮ／ＯＦＦする固定部スイッチ（６０）と、回転刃（３０）の回転駆動をＯＮ／ＯＦＦする回転刃スイッチ（３５）と、を備えた種々の種類のボール盤においても有効である。
【００６１】
そのようなボール盤において、固定部スイッチ（６０）が、固定部（１０）が吸着作用を発揮しない状態にある時、回転刃スイッチ（３５）を覆い隠す位置姿勢をとり、且つ、固定部（１０）が吸着作用を発揮する状態にある時、回転刃スイッチ（３５）を露出する位置姿勢をとり、固定部（１０）が吸着作用を発揮する状態から吸着作用を発揮しない状態へと固定部スイッチ（６０）が操作される時、回転刃（３０）の回転駆動を自動的に強制的にＯＦＦにする回転刃補助スイッチ（５２、５３）が更に設けられていることが、新規かつ有用な特徴として提案される。
【００６２】
この場合、吸着作用が発揮されている状態でのみ、作業者が回転刃スイッチ（３５）にアクセス可能であるため、被加工部材が固定部（１０）に吸着されていない状態で回転刃（３０）が駆動するという事態の発生が効果的に抑制される。また、吸着作用が発揮されなくなる際に、回転刃（３０）の回転駆動が自動的に強制的にＯＦＦにされることが保証されるため、被加工部材が固定部（１０）に吸着されていない状態でも回転刃（３０）の駆動が継続するという事態の発生が効果的に抑制される。
【００６３】
（本発明の拡張例２）
回転刃補助スイッチ５２、５３の特徴は、一般的な安全装置においても有効である。すなわち、副スイッチ（６０）がＯＮである時にのみ、主スイッチ（３５）をＯＮ／ＯＦＦすることが可能な様々な安全装置においても有効である。
【００６４】
そのような安全装置において、副スイッチ（６０）は、当該副スイッチ（６０）がＯＦＦである時、主スイッチ（３５）を覆い隠す位置姿勢をとり、且つ、当該副スイッチ（６０）がＯＮである時、主スイッチ（３５）を露出する位置姿勢をとり、副スイッチ（６０）がＯＮからＯＦＦへと操作される時、主スイッチ（３５）を自動的に強制的にＯＦＦにする補助スイッチ（５２、５３）が更に設けられており、補助スイッチ（５２、５３）は、副スイッチ（６０）に内蔵された磁石（６５）の位置に応じて作動するリードスイッチ（５２）を有することが、新規かつ有用な特徴として提案される。
【００６５】
この場合、副スイッチ（６０）がＯＮである時にのみ、作業者が主スイッチ（３５）にアクセス可能であるため、所望の安全機能が保証される。また、副スイッチ（６０）がＯＮからＯＦＦへと操作される際に、補助スイッチ（５２、５３）によって主スイッチ（３５）が自動的に強制的にＯＦＦにされることによって、安全機能が高められる。
【符号の説明】
【００６６】
１０    固定部
１１    側方磁性体
１２    側方磁性体
１３    非磁性体
１４    非磁性体
２０    本体部
２５    バッテリ
３０    回転刃
３２    送りハンドル
３５    回転刃スイッチ
４０    永久磁石
４６    キー
５０    スイッチボックス
５１    ストッパピン
５２    リードスイッチ（回転刃補助スイッチ）
５３    回転刃補助スイッチ制御部（回転刃補助スイッチ）
６０    固定部スイッチ
６１    大凸部
６２    小凸部
６３    凹部
６４    摺動溝
６５    磁石片
１００  磁気ボール盤
Ｘ      回転軸
【図１】
2020157471.tif 000003
【図２】
2020157471.tif 000004
【図３】
2020157471.tif 000005
【図４】
2020157471.tif 000006
【図５】
2020157471.tif 000007
【図６】
2020157471.tif 000008
【図７】
2020157471.tif 000009